(57)【特許請求の範囲】
【請求項１】
第３アミン−Ｎ−オキシド溶液からセルロース製品を製造するプロセスにおいてタンクを操作する方法であって、該タンクは溶液が供給源と需要源間を輸送されるときにバッファ容積を提供し、該タンクは端部及び筒状壁を有すると共に、筒状壁に対し密封されているピストンを含み、タンク内の溶液の体積は端部と、筒状壁と、ピストンとにより画定され、該タンクは流入ポートを有し、該流入ポートを介し流入側の体積計量型ポンプにより供給源からタンクに溶液が供給され、該タンクは流出ポートを有し、該流出ポートを介し流出側の体積計量型ポンプによりタンクから需要源に溶液が移送され、流入ポートと流出ポートとのうち一方のポートがタンクの端部内か、または該端部に隣接して配置されており、他方のポートがピストンに取付けられてピストンと共に移動可能である方法において、溶液が同時にかつ連続的にタンク内に供給されると共にタンクから排出されるように流入側および流出側のポンプを作動させ、タンク内の溶液の体積が供給速度および需要速度の変化に応じて変動し、タンク内の溶液が加圧されてそれにより流入側のポンプの吐出側と流出側のポンプの吸込側とに正圧が作用するように、ピストンに外部圧力を印加し、それにより、流入側および流出側のポンプが効果的に、溶液を同時にかつ連続的にタンク内に供給すると共にタンク内から排出することができるようにした方法。
【請求項２】
ピストンに中央ロッドを介して外部圧力を作用させることを特徴とする請求項１に記載の方法。
【請求項３】
ピストンに取付けられてピストンと共に移動可能である方のポートを伸縮自在管により供給源または需要源に連結したことを特徴とする請求項１または２に記載の方法。
【請求項４】
伸縮自在管を溶液内に浸漬すると共にタンクの端部を貫通させることを特徴とする請求項３に記載の方法。
【請求項５】
ピストンに取付けられてピストンと共に移動可能である方のポートをピストンに枢動可能に取付けたことを特徴とする請求項１から４までのいずれか一項に記載の方法。
【請求項６】
ピストンの動きに応じて供給速度を調節することによりタンク内の溶液の体積を制御することを特徴とする請求項１から５までのいずれか一項に記載の方法。
【請求項７】
ギアポンプによって溶液をタンク内に供給することを特徴とする請求項１から６までのいずれか一項に記載の方法。
【請求項８】
ギアポンプによって溶液をタンクから移送することを特徴とする請求項１から７までのいずれか一項に記載の方法。
【請求項９】
タンク内の溶液が実質的に層流領域にあることを特徴とする請求項１から８までのいずれか一項に記載の方法。
【発明の詳細な説明】
〔技術分野〕
本発明はセルロース製品を製造するプロセスにおいてタンクを操作する方法に関する。
〔技術背景〕
化学プロセス工場における複数のプロセス操作間において、液体は通常１つもしくは複数のタンク内に保持され、またはタンク内を通過せしめられる。このようなタンクは（とりわけ）貯蔵タンク、バッファタンク、中間タンク、或いは容量タンクと呼ばれる。これらのタンクは連続的に、または（バッチのように）非連続的に操作される。連続操作において液体は実質的に連続してタンク内に供給され、実質的に連続してタンクから抽出される。連続操作されるタンクには、通常、液位測定装置および制御システムが設けられており、タンク内における液体の体積または滞留時間を制御することができる。液位測定装置は、需要作用における正規変動によって信号がプロセスの前の段階に送られ、そこで対応する変動を供給作用に信号が生じさせるべく作用するように構成される。これはフィードバック制御として知られている。連続操作される貯蔵タンクに、さらに大きな変動、例えば供給作用および需要作用の一時的な停止、に応答し、したがってバッファまたはサージタンクとして作用する制御システムを設けることもできる。供給作用が一時的に停止されたときには需要作用をタンク内の液体の体積によって、限定された時間だけ、実行することができる。需要作用が一時的に停止されたときには、需要作用が再開されるまで、タンクの余分な容量を貯蔵用に用いて、供給作用を、速度を同じにしたままで或いは速度を低下させて、連続的に行うことができる。
或る液体は時間依存特性を有しており、微視的スケールおよび巨視的スケールのプロセスプラント内におけるこれら液体の滞留時間を制御するのが好ましい。このような液体の例としては、再生セルロース製品、例えば繊維および膜、を製造するためのポリマドープがある。この種の液体の例として、セルロースを、例えばモルホリンメチル−Ｎ−オキシドのような第３アミン−Ｎ−オキシドに溶かして得られる溶液があり、これらの溶液は、再生セルロース製品、例えば繊維および膜、を製造するのに有用である。製造プラント内におけるこれら液体の滞留時間をできるだけ短くし、かつ均一でばらつきのない（consistent）流れを確保して淀みがないようにするのが好ましい。この種の液体の他の例はビスコースである。これはセルロースキサントゲン酸ナトリウムを水酸化ナトリウム水溶液に溶解することにより準備され、次いで濾過され、脱泡され、そして適当なダイを介して抽出されることにより再生セルロース繊維または膜が製造される。新しく準備された（若い）ビスコースは「未熟（unripe）」と呼ばれ、制御時間だけ貯蔵されなければならないが、制御時間の間ビスコース内で化学変化が行われて抽出に適当である（「熟した」）ようにされる。古いビスコースは「熟し過ぎ（overripe）」と呼ばれ、もやは抽出には不適当である。さらに、過剰な貯蔵作用によりビスコースは固体に変化して無用となり、またこのためにプロセスプラント自体が損傷する恐れがある。さらに、熟したビスコースが、同じ熟し度合いの熟し過ぎおよび未熟のビスコースの混合物よりも優れた特性を有することが知られている。
上述した形式の貯蔵タンクは、時間依存特性を有する液体を貯蔵するための、連続操作されるタンクとして完全に満足のいくものではない。なぜならば、これらのタンクには不均一で不連続の流れ領域が存在しがちであり、また淀み領域が存在しがちであるからである。従来より、このようなタンクに適当な機械式撹拌装置を設けてタンク内に貯蔵されている液体を混合するようにしている。例えばビスコース、およびセルロースの第３アミン−Ｎ−オキシド溶液などの高粘性液体の場合には撹拌装置を用いることが特に必要であり、なぜならばこのような液体は層流領域に従い、したがって特に淀みやすいからである。これに対し、例えば水などの低粘性液体は通常乱流領域に従い、乱流領域内において淀みは起こりにくい。撹拌装置を用いると、撹拌装置自体を設けるための、また撹拌装置を作動させるのに必要な駆動力のための追加の出費がかかってしまう。さらに撹拌装置は、タンク内に含まれている若い液体と古い液体とを共に混合し、その結果微視的スケールにおける滞留時間を所望のように正確に制御することができない。このように撹拌されているタンクを介する液体の流れは、「先入れ、先出し」の原則に近づかない。
英国特許第841,403号公報によれば、供給装置が連続的に粘性物質（例えばマーガリン）を供給し、受取装置が断続的に該物質を需要している場合、供給速度と受取速度間の差を補償する補償装置を介在させるのが好ましい。この公報は、出口を有するチャンバと、チャンバ内で移動してチャンバの容量を変更可能でありかつチャンバの容量を減少するようにするピストンと、粘性物質を加圧下においてピストンの表面まで導く入口手段とを具備する補償装置について記載している。入口手段の少なくとも一部は、ピストンの表面と出口間に位置するチャンバ内に配置され、またピストンと共に移動可能である。ピストンが供給ライン内のバルブを機械的結合によって作動され、それによってチャンバの容量の減少作用がバルブを開弁させ、またチャンバの容量の増加作用がバルブを閉弁させる。使用時、ピストンは断続的に作動して粘性物質のアリコートをチャンバから受取装置に排出し、それにより例えばマーガリンが小さな容器内に詰め込まれるようにする。英国特許第841,403号公報は、受取装置が物質を断続的に受取る方法のみを開示しており、供給作用および受取作用の両方を連続的に行う方法について何ら開示していない。
独国特許第3,416,899号公報には、ケーキを例えばチョコレートの文字でもって飾り付けするための装置が開示されている。シリンダ内に収容された、作業１回分の量のチョコレートは、シリンダ内で作動する空気圧駆動式ピストンの作用によってノズルを介し飾り付けされるべきケーキ上に排出される。チョコレートの排出時においてピストンが下方位置まで移動するとそれにより下限スイッチが起動せしめられる。このスイッチが起動せしめられると、ピストンに作用する下向きの圧力を低減させかつギアプンプを始動させるようにする信号が送られる。ギアポンプはチョコレートを外部のホッパから、中空のピストンロッドの内部に連結されたフレキシブル管を介し、次いでシリンダ内まで汲み上げる。この汲み上げ作用によりピストンが上方位置まで上昇せしめられ、この上方位置においてピストンは上限スイッチを起動せしめる。上限スイッチは、シリンダ内が作業１回分の新しいチョコレートでもって満たされたことを表す。このスイッチが起動されると、ギアポンプの作動を停止させかつピストンに作用する下向きの圧力を従前の高い値まで増大させるようにする信号が送られる。処理サイクルは必要に応じて繰り返し行われる。独国特許第3,416,899号公報は、シリンダ内へのチョコレートの供給作用か、或いはシリンダからのチョコレートの放出作用かのいずれかを連続的に行うことについて何ら開示していない。
〔発明の開示〕
本発明によれば、第３アミン−Ｎ−オキシド溶液から繊維または膜のようなセルロース製品を製造するプロセスにおいてタンクを操作する方法であって、該タンクは溶液が供給源と需要源間を輸送されるときにバッファ容積を提供し、該タンクは端部及び筒状壁を有すると共に、筒状壁に対し密封されているピストンを含み、タンク内の溶液の体積は端部と、筒状壁と、ピストンとにより画定され、該タンクは流入ポートを有し、該流入ポートを介し流入側の体積計量型ポンプにより供給源からタンクに溶液が供給され、該タンクは流出ポートを有し、該流出ポートを介し流出側の体積計量型ポンプによりタンクから需要源に溶液が移送され、流入ポートと流出ポートとのうち一方のポートがタンクの端部内か、または該端部に隣接して配置されており、他方のポートがピストンに取付けられてピストンと共に移動可能である方法において、溶液が同時にかつ連続的にタンク内に供給されると共にタンクから排出されるように流入側および流出側のポンプを作動させ、タンク内の溶液の体積が供給速度および需要速度の変化に応じて変動し、タンク内の溶液が加圧されてそれにより流入側のポンプの吐出側と流出側のポンプの吸込側とに正圧が作用するように、ピストンに外部圧力を印加し、それにより、流入側および流出側のポンプが効果的に、溶液を同時にかつ連続的にタンク内に供給すると共にタンク内から排出することができるようにした方法が提供される。
本発明の一実施例において、タンクの上記端部はタンクの基部であり、１つ又は複数の壁は実質的に鉛直方向に延びており、可動従動子はタンク内の液体の液位が上昇および下降するにつれて上下動するフロートである。好ましくは、従動子が液体の実質的に全表面にわたって延びて、例えばタンク内に落下する物体から保護するようにすべきである。この形式のフロートは本質的に受動従動子であり、この従動子の上下動はタンク内における液体の流れに直接影響を及ぼさない。
本発明の、好ましい他の実施例において、タンクの１つまたは複数の壁は一定の断面を画定し、可動従動子はピストンであり、１つまたは複数の壁とピストン間にシール部材が設けられる。好ましくはタンクは円状断面を有し、したがってタンクは単一の円筒状壁を有する。液体はタンクの端部および壁により完全に包囲される。これにより、液体が大気から保護されかつ完全に収容されるという利点が得られる。通常タンクを、ピストンが実質的に鉛直方向に移動しかつ収容された液体の上方に位置するように、またはピストンが実質的に水平方向に移動するように配置するのが好ましいが、この実施例において、タンクを本質的にあらゆる方向に指向して配置することができる。
ピストンは、タンク内の液体の体積変化のみに応じて移動するようになっている、完全に受動的な装置であってよい。変更可能には、外部圧力をピストンに作用させてピストンが液体を加圧させるラムのように作動するようにしてもよい。通常このようなラムはタンクから液体を放出するのに使用されず、しかしながら液体を加圧するためにのみ使用される。ラムを使用した場合、搬送側に正圧が作用したときに最大効率となるフィードポンプにより液体がタンクに供給される場合、および吸引側に正圧が作用したときに最大効率となるフィードポンプにより液体がタンクから放出される場合に有利である。このことは、例えばギアポンプのような体積供給型ポンプのうちの或る形式に対して真実である。圧力は、例えば空気圧式、油圧式、もしくは機械式により、またはこれらの技術の組み合わせによりピストンに作用されうる。好ましい実施例において、ピストンには、機械的圧力をピストンに伝達する中央ロッドが設けられる。タンクを密閉型タンクとして空気または不活性ガスにより加圧し、それによりピストンとタンクの１つまたは複数の壁間に設けられたシール部材を横切る圧力差を最小限にすることができる。
本発明の一実施例において、流入ポートがタンクの端部内か、または該端部に隣接して配置される方のポートであり、流出ポートが可動従動子に取付けられて可動従動子と共に移動可能である方のポートである。本発明の他の実施例において、互いに逆にした配置が採用される。各ポートは単一のポート、または複数ポートもしくは分配リングでもよい。
可動従動子に取付けられた方のポートは、タンクに固定されたパイプに連通している。この連通はフレキシブルホースの形態により達成されうる。本発明の好ましい実施例において、この連通は伸縮自在管により達成されうる。この伸縮自在管は液体の外部に配置されうるものであり、したがって固定パイプは、他方のポートが配置または隣接配置されたタンクの端部から離間して配置されることとなる。好ましい態様において伸縮自在管は液体内に浸漬され、したがって固定パイプは他方のポートに隣接配置される。このことは、タンクをさらにコンパクトにすることができるという利点を有する。タンク内の液体が制御温度に維持されなければならないときにはこの態様は、伸縮自在管を断熱材で覆ったり、または温度制御するための他の手段を講じたりする必要がないという利点をさらに有する。温度制御を必要とする液体の一例は、セルロースのＮ−モルホリンメチル−Ｎ−オキシド溶液であり、これは室温で凝固する。タンク内の液体が加圧された場合に伸縮自在管をタンクの液体内に浸漬させることにより、伸縮自在管の伸縮部同士の間に高品質のシール部材を必要としないというさらなる利点が得られる。最も簡単な形態において、伸縮自在管は、従動子に連結された一方の管部分からなり、この管部分は他方の管部分と係合し、他方の管部分はタンクの端部に固定されかつ該端部を貫通しつつ延びて固定パイプを構成するか、或いは固定パイプに連結される。さらに多くの管部分を具備した、さらに複雑な形態を使用することもできる。
伸縮自在管が液体内に漬浸されたとき、可動従動子に取付けられて可動従動子と共に移動可能である方のポートは、可動従動子に隣接して位置する伸縮自在管の端部において伸縮自在管内に設けられた複数の穴から構成されうる。好ましくは伸縮自在管は、伸縮自在管が可動従動子に対して或る程度揺動可能であるように可動従動子に取付けられる。ピボットピンおよびリングは、伸縮作用を確保する機能と、伸縮自在管の伸縮部を同心状にかつ直線状に正確に整列させるのに必要とされる事項を低減するようにする機能とを伸縮部同士の間に提供しつつ、伸縮自在管を可動従動子に取付ける簡単な方法の一つである。
好ましくはタンクには、タンク内の液体の温度を一定温度に維持するために断熱材および／または加熱もしくは冷却ジャケットが設けられる。ジャケットを、電気的に加熱してもよく、または循環する熱媒体、例えばブライン、水、または蒸気、を含む中空ジャケットとしてもよい。
上記液体は純粋な液体でも、複数の液体の混合液もしくは溶液でも、または液体中の固体からなる懸濁液もしくはスラリでもよい。
タンク内の液体は好ましくは層流域にあり、すなわちレイノルズ数が約2000から3000まで以下になっている。このことは、タンク内における混合度が小さく、したがってタンクを介した液体の流れが「先入れ、先出し」の流れに近づくことを意味している。層流は、液体が高粘性液体、例えばポリマドープ、特に再生セルロース繊維および膜を製造するためのドープ、さらに特にビスコースまたは好ましくはセルロースの第３アミン−Ｎ−オキシド溶液、であれば最も簡単に達成される。
本発明の作動方法は好ましくは器械式に制御される。タンク内における液体の目標体積または目標滞留時間に対応する従動子の目標位置は、器械式の制御装置内における設定点として設定される。需要速度が変化するとそれにより従動子が設定点から逸脱せしめられる。結果として生ずる器械内の信号は、タンクの流入側において例えばフィードポンプの速度を変更して供給源からタンクへの供給速度を調節し、そして結果として従動子をその設定点まで戻すように位置を制御するのに、用いられる。単に設定点を変更することにより目標体積または目標滞留時間を変更することができ、この場合器械式の制御装置は従動子の新しい平衡位置を設定するよう作用する。タンクを介する液体の流れは連続であり、また「先入れ、先出し」領域にほぼ従う。
連続操作を行うべく構成されたプロセスプラントにおいて、操作の連続性をできるだけ維持するようにするのが一般的に望ましい。本発明の方法により操作されるタンクへの供給作用が何らかの理由により中断されるとタンク内に貯蔵されている液体は、供給作用が再開されるまで、限定された時間にわたって、可能であれば速度を低下させつつ、需要に見合うようにされ、その後供給速度が一時的に増大され、それにより従動子がその設定点まで戻される。タンク内に貯蔵されている液体の体積を一時的に増大してもよく、それにより需要源への連続的な移送作用を確保しつつタンクへの供給作用の計画的な中断、例えばフィルタの交換時、を行うことができる。このことは、需要源への連続流が中断されると連続操作される装置、例えば紡糸機または膜押出機、における製造作用が停止せしめられるような場合に特に有利である。このような製造作用の中断後に製造作用が再開されてから或る時間にわたって製品（繊維または膜）の品質が劣化することが知られている。また、例えば凝固浴および洗浄液などの循環される処理用液体の複合液がしばしばこのような中断時にその設定点の値から変化させ、その結果再開後の或る時間にわたって製造された繊維または膜が、例えば染料との親和性の点で規格外となりうることも知られている。本発明の方法により作動されるタンクからの要求が何らかの理由により中断されたときには、タンクの余分の容積をバッファ容積として用いることにより、需要作用が再開されるまで、同一の速度でまたは速度を低下させてタンクへの供給作用を継続して行うことができる。いずれの場合においてもタンクを介する液体の流れが概ね「先入れ、先出し」領域に維持され、このことは時間依存特性を有する液体にとって重要なことである。
〔図面の簡単な説明〕
本発明は、添付図面を参照しつつ実例により、以下にさらに詳細に記載される。添付図面において、
図１は、本発明において使用されるタンクの一実施例の側面断面図であり、
図２は、図１に示したタンクの胴体と、胴体内のピストン間に設けられるシール部材の変更可能な態様を示す部分拡大図である。
〔発明を実施するための態様〕
図１を参照すると、鉛直方向に指向して取付けられたステンレス鋼製タンク101は、半球状の基部103上に取付けられた筒状の胴体102からなる。胴体102の内径は500mmであり、高さは1120mmである。また胴体102には、胴体102の周辺部に等間隔に配置された軟鋼製の支持用ラグ104が４つ設けられる。水平平面内に拡がる円板105が胴体102と基部103間に設けられる。円板105には複数の穴106が設けられ、さらに円板105の中央部には円形の開口107が設けられる。各穴106の直径は25mmであり、これら穴106は、これら穴のうち８個の穴が（直径が240mmの）内側環を形成し、また12個の穴が（直径が420mmの）外側環を形成するように配置される。穴106は、液体の流れをタンク101の断面内にわたって分配するようにしている。胴体102、円板105および基部103は、外部の円形フランジ108を用いて互いにクランプ止めされる。円形フランジ108は胴体102の最下端と、基部103の最上端とに設けられる。
呼称内径（nominal bore）が150mmであるステンレス鋼製の流出管109は軸線方向に延びて基部103に固定される。流出管109は上方に延びて開口107の周辺部に位置する円板105の下側面内に着座する。流出管109の下端は基部103から下方に延びて需要源（図示しない）に連結される。液体は供給源（図示しない）から水平方向に延びる流入管110を介してタンク101内に供給される。呼称内径が150mmである流入管110は、基部103の中央部に位置しかつ流出管109周りに設けられた環状の流入ポート127に連結される。環状ポート127の外径は250mmである。
胴体102の内部にはステンレス鋼製のピストン111が配置され、図１においてピストン111はその上死点において示される。ピストン111にはニトリルゴム製のＵリング112と、ポリテトラフルオロエチレン（PTFE）製のＯリング113とが設けられ、これらＵリング112およびＯリング113はピストン111を胴体102の壁114に対して液体が漏れないようにシールする。ピストン111の下面の中央部には呼称内径が130mmであるステンレス鋼製の管115がピボットピンおよびリング116により枢動可能に取付けられ、この管115はピストン111から1050mmだけ下方に延びている。ピストン111に隣接する管115にはその周方向に等間隔でもって４つの円形オリフィス117が貫通しており、これらオリフィス117は共に流出ポートを構成する。各オリフィス117の直径は75mmであり、また各オリフィス117の中心はピストン111の下面から50mmの位置に配置される。管115の、下方に延びている端部118は円板105内の開口107を通過して流出管109内に摺動係合する。管115と開口107間のクリアランスは約1mmである。管115をピストン111に枢動可能に取付けることによって、組付け時および作動時に管115が開口107に対し容易に整列できるようにしている。
円形のカバー119が胴体102上に着座しており、このカバー119は、胴体102の最上端に設けられた外部の円形フランジ120によって胴体102にクランプ止めされる。カバー119上には油圧シリンダ121が取付けられる。この油圧シリンダ121は、シリンダ121に取付けられた中央ロッド122によって下方に向かう機械的圧力をピストン111に対し作用させるようにする。タンク101内の呼称作動液圧は0.5MPaであり、最大作動液圧は1.3MPaである。ピストン111のストロークは約1000mmである。タンク101の呼称作動容積は約0.1m3であり、最大作動容積は約0.2m3である。液体は、セルロースを、例えばＮ−モルホリンメチル−Ｎ−オキシドのような第３アミン−Ｎ−オキシドに溶かして得られる溶液とすることができる。
温度測定用の熱電対プローブ123が基部103内に取付けられる。タンク101と、タンクに付設された配管とにはジャケット124が設けられ、ジャケット124を介して例えば水などの熱媒体が通過可能になっている。ジャケット124の幅（across）はほぼ25mmであり、またこれらジャケット124には内部にバッフル125が設けられて熱媒体が均一に分散するようになっている。ピストン111の上面には断熱材層126が設けられる。
操作時において、ロッド122の鉛直方向位置を連続的に測定することによってタンク101に対するピストン111の鉛直方向位置を検出し、測定装置（図示しない）内の設定点と比較する。設定点からのずれが生ずると電気信号が供給源に送られる。ピストンが設定点よりも上方に位置してその時点においてタンク内にある液体の体積が多すぎるときには電気信号は、ピストンの位置が再び設定点となってタンク内の液体の体積が再び目標体積になるまで、供給速度を低下させるよう作用する。ピストンが設定点よりも下方に位置してその時点においてタンク内にある液体の体積が少なすぎるときには電気信号は、ピストンの位置が再び設定点となってタンク内の液体の体積が再び目標体積になるまで、供給速度を増大させるよう作用する。
タンク内における液体の体積または滞留時間を変更させる場合には設定点を、新しい目標値が示されるように変更する。次いで測定システムは自動的に作動してピストンの平衡位置を調節し、それによって目標値が得られる。
需要源に影響を与えない何らかの理由によりタンクへの供給作用が一時的に減少されるか、或いは中断されると、タンク内の液体の体積が減少し始める。その結果、設定点からのピストンの設定位置のずれが連続的に増大し、それにより信号が需要源に送られる。信号は供給源から需要源に送られて事態の状態を示唆するようにされうる。次いで需要源は１つまたは複数の信号に応じ適当に作動して、供給作用が回復されるまで、バッファであるタンク内の液体の体積を抜き取りつつ需要速度を低下させる。
供給源に影響を与えない何らかの理由によりタンクからの需要作用が一時的に減少されるか、或いは中断されると、タンク内の液体の体積が増大し始める。その結果、設定点からのピストンの測定位置のずれが連続的に増大し、それにより供給源に送られるべき信号が発生せしめられる。信号は需要源から供給源に送られて事態の状態を示唆するようにされうる。次いで需要源は１つまたは複数の信号に応じ適当に作動して、供給作用が回復されるまで、バッファ容積であるタンクの余分な容量を使用しつつ供給速度を低下させる。
図２は、胴体102の壁114とピストン111間に設けられるシール部材を形成する、別の方法を示す。シール部材は、PTFE製のＯリング201と、環状をなすPTFE製の担持用帯202と、環状をなすPTFE製のリップリング203とからなり、リップリング203は、保持リング204によって保持されるＵ字形上の断面を有する。
【図２】
0003549881.tif 000002
【図１】
0003549881.tif 000003